(57)【要約】【課題】液晶駆動用の半導体チップの周囲に設けられた保護膜で覆われた引き回し線の腐食をより一層防止する。【解決手段】セグメント基板１の突出部１ａ上の出力端子９および入力端子１０を含む接合部には、半導体チップ１４が異方性導電接着剤１７を介して取り付けられている。この場合、出力端子９は引き回し線１１を介してセグメント電極３に接続され、入力端子１０は引き回し線１２を介して外部接続端子１３に接続されている。引き回し線１１、１２は、エポキシ樹脂、フェノール樹脂、シリコーン、ポリイミド等の材料からなる保護膜２５で覆われている。保護膜２５は、ポリイミドフィルムやＰＥＴフィルム等からなる保護フィルム２６で覆われている。そして、保護フィルム２６の存在により、保護膜２５で覆われた引き回し線１１、１２の腐食をより一層防止することができる。【選択図】        図１
2005024626.tif 000002
【特許請求の範囲】
【請求項１】
表示パネル用基板上に設けられた配線に電子部品が接続されて取り付けられ、少なくとも前記電子部品の周囲における前記配線が保護膜で覆われている表示装置において、前記保護膜が保護フィルムで覆われていることを特徴とする表示装置の電子部品取付構造。
【請求項２】
請求項１に記載の発明において、前記保護フィルムは前記保護膜よりも耐湿性の高いものからなることを特徴とする表示装置の電子部品取付構造。
【請求項３】
請求項１に記載の発明において、前記電子部品の周囲における前記配線が下層保護膜で覆われていることを特徴とする表示装置の電子部品取付構造。
【請求項４】
請求項３に記載の発明において、前記下層保護膜はポリイミド系材料によって形成されていることを特徴とする表示装置の電子部品取付構造。
【請求項５】
請求項３に記載の発明において、前記下層保護膜は撥水性材料によって形成されていることを特徴とする表示装置の電子部品取付構造。
【請求項６】
請求項１に記載の発明において、前記電子部品の下面において前記配線と接続される電極を除く領域が撥水膜で覆われていることを特徴とする表示装置の電子部品取付構造。
【請求項７】
請求項１に記載の発明において、前記表示パネル用基板と前記電子部品とは異方性導電接着剤を介して取り付けられていることを特徴とする表示装置の電子部品取付構造。
【発明の詳細な説明】
【０００１】
【発明の属する技術分野】
この発明は表示装置の電子部品取付構造に関する。
【０００２】
【従来の技術】
例えば、従来の液晶表示装置には、互いに貼り合わされた２枚の基板のうち、一方の基板の他方の基板から突出された突出部上に設けられた配線に、液晶を駆動するためのＬＳＩ等からなる半導体チップを接続させて取り付け、少なくとも半導体チップの周囲における配線を、外部雰囲気の水分等から保護するための保護膜で覆ったものがある（例えば、特許文献１参照）。
【０００３】
【特許文献１】
特開平１−１３２１３８号公報
【０００４】
【発明が解決しようとする課題】
ところで、保護膜は、エポキシ樹脂、フェノール樹脂、シリコーン、ポリイミド等の液状材料をディスペンサを用いて塗布することにより形成されている。しかしながら、このような液状材料の塗布により形成された保護膜では、耐湿性（非透湿性、非吸湿性）が完全ではないため、外部雰囲気の水分の浸透により、保護膜で覆われた配線が腐食することがあるという問題があった。
【０００５】
そこで、この発明は、保護膜で覆われた配線の腐食をより一層防止することができる表示装置の電子部品取付構造を提供することを目的とする。
【０００６】
【課題を解決するための手段】
請求項１に記載の発明は、表示パネル用基板上に設けられた配線に電子部品が接続されて取り付けられ、少なくとも前記電子部品の周囲における前記配線が保護膜で覆われている表示装置において、前記保護膜が保護フィルムで覆われていることを特徴とするものである。
請求項２に記載の発明は、請求項１に記載の発明において、前記保護フィルムは前記保護膜よりも耐湿性の高いものからなることを特徴とするものである。
請求項３に記載の発明は、請求項１に記載の発明において、前記電子部品の周囲における前記配線が下層保護膜で覆われていることを特徴とするものである。
請求項４に記載の発明は、請求項３に記載の発明において、前記下層保護膜はポリイミド系材料によって形成されていることを特徴とするものである。
請求項５に記載の発明は、請求項３に記載の発明において、前記下層保護膜は撥水性材料によって形成されていることを特徴とするものである。
請求項６に記載の発明は、請求項１に記載の発明において、前記電子部品の下面において前記配線と接続される電極を除く領域が撥水膜で覆われていることを特徴とするものである。
請求項７に記載の発明は、請求項１に記載の発明において、前記表示パネル用基板と前記電子部品とは異方性導電接着剤を介して取り付けられていることを特徴とするものである。
そして、この発明によれば、配線を覆っている保護膜をさらに保護フィルムで覆っているので、保護膜で覆われた配線の腐食をより一層防止することができる。
【０００７】
【発明の実施の形態】
図１はこの発明の一実施形態としての液晶表示装置の要部の断面図を示したものである。この液晶表示装置は、図１において下側に配置されたガラスからなるセグメント基板１と、上側に配置されたガラスからなるコモン基板２とを備えている。セグメント基板１の上面（コモン基板２との対向面）にはＩＴＯからなるセグメント電極３およびポリイミド系材料からなる配向膜４が設けられている。
【０００８】
コモン基板２の下面（セグメント基板１との対向面）にはＩＴＯからなるコモン電極５およびポリイミド系材料からなる配向膜６が設けられている。そして、セグメント基板１とコモン基板２とはほぼ方形枠状のシール材７を介して貼り合わされている。シール材７の内側における両基板１、２の配向膜４、６間には液晶８が封入されている。
【０００９】
ここで、セグメント電極３とコモン電極５とは互いに直交する方向に延在して配置され、その交差部の対向領域が画素部を形成している。また、セグメント基板１の一辺には、コモン基板２から突出する突出部１ａが形成されている。この突出部１ａの上面のコモン基板２側（図１で左側）には複数の出力端子９が設けられ、その反対側には複数の入力端子１０が設けられている。
【００１０】
出力端子９の一部は、図１において、その左側に設けられた引き回し線１１を介してセグメント電極３に接続されている。出力端子９の残りは、図示していないが、両基板１、２の相対向する面にそれぞれ設けられた引き回し線およびこれらを接続するクロス材を介してコモン電極５に接続されている。入力端子１０は、図１において、その右側に設けられた引き回し線１２を介してその右側に設けられた外部接続端子１３に接続されている。この場合、出力端子９、引き回し線１１、図示しない引き回し線、入力端子１０、引き回し線１２および外部接続端子１３はＩＴＯによって形成されている。
【００１１】
セグメント基板１の突出部１ａ上の出力端子９および入力端子１０を含む接合部には、液晶８を駆動するためのＬＳＩ等からなる半導体チップ１４が異方性導電接着剤１７を介して取り付けられている。異方性導電接着剤１７は、絶縁性接着剤１８中に導電性粒子１９を混入したものからなっている。そして、半導体チップ１４の下面の各所定の箇所に設けられた出力電極１５および入力電極１６は、導電性粒子１９を介して出力端子９および入力端子１０に接続されている。また、半導体チップ１４の下面側は、絶縁性接着剤１８を介して突出部１ａ上に接着されている。
【００１２】
セグメント基板１の突出部１ａ上の外部接続端子１３を含む接合部には、フレキシブル配線基板２０の一端部下面に設けられた接続端子２１を含む接合部が異方性導電接着剤２１を介して取り付けられている。この場合も、異方性導電接着剤２１は、絶縁性接着剤２３中に導電性粒子２４を混入したものからなっている。そして、フレキシブル配線基板２０の接続端子２１は、導電性粒子２４を介して外部接続端子１３に接続されている。また、フレキシブル配線基板２０の一端部下面側は、絶縁性接着剤２３を介して突出部１ａ上に接着されている。なお、フレキシブル配線基板２０の他端部は、図示しない回路基板に接続されている。
【００１３】
半導体チップ１４の周囲における異方性導電接着剤１７および引き回し線１１、１２を含む突出部１ａの上面と、フレキシブル配線基板２０の一端部上面およびその周囲における異方性導電接着剤２１の上面とは、保護膜２５で覆われている。半導体チップ１４を含む保護膜２５の上面は、さらに、保護フィルム２６で覆われている。
【００１４】
この場合、保護膜２５は、エポキシ樹脂、フェノール樹脂、シリコーン、ポリイミド等の液状高分子材料をディスペンサを用いて塗布したものを乾燥、固化することにより形成されている。保護フィルム２６は、ポリイミドフィルムやＰＥＴ（ポリエチレンテレフタレート）フィルム等の保護膜２５よりも耐湿性の高いものからなっている。この場合、本発明においては、フィルムとは、被着する前に、フレキシブルな薄いシート状の部材として形成されているものを意味し、樹脂等を塗布、乾燥して被着後に膜となるものは含まないものと定義つけられる。
【００１５】
そして、保護膜２５形成用の液状材料をディスペンサを用いて塗布した直後に、その上面に保護フィルム２６を密接させ、次いで、加熱処理により、塗布された保護膜形成用材料を硬化させて保護膜２５を形成すると、この保護膜２５の上面に保護フィルム２６が固着される。この場合、保護膜２５形成用の液状材料を半導体チップ１４の上面に塗布するようにしてもよいが、液晶表示装置の全体の厚さを考慮した場合、保護フィルム２６の上面がコモン基板２の上面よりも高くならないようにするのが望ましい。
【００１６】
以上のように、この液晶表示装置では、保護膜２５を該保護膜２５よりも耐湿性の高い保護フィルム２６で覆っているので、保護フィルム２６により外部雰囲気の水分の浸透をより一層防止することができ、したがって保護膜２５で覆われた引き回し線（配線）１１、１２の腐食をより一層防止することができる。
【００１７】
ここで、実験結果について説明する。保護膜２５をシリコーン系材料によって形成した。保護フィルム２６の厚さは０．４ｍｍ程度とし、半導体チップ１４のチップ本体の厚さは０．５ｍｍ程度とした。そして、保護フィルム２６を備えていない場合（以下、従来品という）と保護フィルム２６を備えている場合（以下、本発明品という）とにおいて、高温高湿雰囲気（６０℃、９０％ＲＨ）での隣接する引き回し線１１間の絶縁抵抗を調べ、また、各引き回し線１１の導通抵抗を調べた。この場合、引き回し線１１の線幅／線間は、単位をμｍとして、１５／１０、１５／１５、１８／２０、２０／３０、２０／５０の５種類とした。
【００１８】
まず、絶縁抵抗に説明する。試験時間を９６時間および２４０時間とした場合には、従来品のいずれの線幅／線間のものも、また、本発明品のいずれの線幅／線間のものも、絶縁抵抗が１００ＭΩ以上であった。試験時間を５００時間とした場合には、従来品において、線幅／線間が１５／１０、２０／３０であるものに、絶縁抵抗が１００ＭΩよりも低くなったものが現れたが、本発明品のいずれの線幅／線間のものも、絶縁抵抗が１００ＭΩ以上であった。
【００１９】
次に、導通抵抗について説明する。この場合、初期の抵抗に対して変化があったか否かで判断した。従来品の場合には、試験時間９６時間で、線幅／線間が１８／２０、２０／３０であるものに変化が現れ、試験時間２４０時間で、すべての線幅／線間のものに変化が現れた。これに対し、本発明品の場合には、試験時間９６時間、２４０時間、５００時間のいずれにおいても、いずれの線幅／線間のものも変化は現れなかった。
【００２０】
なお、図２に示すこの発明の他の実施形態のように、半導体チップ１４の周囲における引き回し線１１、１２を含む突出部１ａの上面を平面方形枠状の下層保護膜２７で覆うようにしてもよい。すなわち、半導体チップ１４およびフレキシブル配線基板２０の一端部を異方性導電接着剤１７、２２を介して取り付ける前に、引き回し線１１、１２を含む突出部１ａの上面の所定の箇所に平面方形枠状の下層保護膜２７を形成するようにしてもよい。
【００２１】
ここで、下層保護膜２７をポリイミド系材料によって形成する場合には、配向膜４をポリイミド系材料によって形成するとき、下層保護膜２７を同時に形成すると、製造工程数が増加しないようにすることができる。また、下層保護膜２７で覆われた引き回し線１１、１２は、下層保護膜２７を形成した後における液晶注入工程や洗浄工程等において、直接曝されることがなくなり、汚染されないようにすることができる。
【００２２】
また、下層保護膜２７をフッ素やシリコン等の撥水性材料を塗布して形成するようにしてもよい。この場合、このような撥水性材料からなる下層保護膜２７は、水蒸気を透過するが、その表面エネルギーが低いため、その表面に付着した水は、水滴となって分離された状態となって滞留し、相互に繋がって膜状になることはないので、イオンマイグレーションが発生しにくいようにすることができる。なお、半導体チップ１４の下面において出力電極１５および入力電極１６を除く領域をフッ素やシリコン等の撥水性材料からなる撥水膜で覆うようにしてもよい。
【００２３】
【発明の効果】
以上説明したように、この発明によれば、配線を覆っている保護膜をさらに保護フィルムで覆っているので、保護膜で覆われた配線の腐食をより一層防止することができる。
【図面の簡単な説明】
【図１】この発明の一実施形態としての液晶表示装置の要部の断面図。
【図２】この発明の他の実施形態としての液晶表示装置の要部の断面図。
【符号の説明】
１  セグメント基板
２  コモン基板
３  セグメント電極
４  配向膜
５  コモン電極
６  配向膜
７  シール材
８  液晶
９  出力端子
１０  入力端子
１１  引き回し線
１２  引き回し線
１３  外部接続端子
１４  半導体チップ
１７  異方性導電接着剤
２０  フレキシブル配線基板
２１  異方性導電接着剤
２５  保護膜
２６  保護フィルム
２７  下層保護膜
【図１】
2005024626.tif 000003
【図２】
2005024626.tif 000004